(57)【要約】【課題】携帯情報端末において、タッチパネルへの操作に基づいて、より利便性の高い制御内容を提供する。【解決手段】「アドレス帳」のアプリケーション実行中に、フリック操作がなされると、アドレス帳データ記憶部６３１３に記憶されている情報の中の表示対象となる情報のグループが変更される。表示対象は、フリック操作がなされた方向に、スクロール表示がなされることにより、切り替えられる。なお、表示対象となる情報のグループが変更される場合、表示部３０における表示内容が変更前のグループ（「あ」行）から変更後のグループ（「か」行）に移る前に、変更後のグループを特定する情報（「か」）が表示される。【選択図】図１０
2010103919.tif 000002
【特許請求の範囲】
【請求項１】
情報を表示する表示手段と、
前記表示手段の前面に設けられたタッチパネルと、
複数の情報をグループ化して記憶する記憶手段と、
前記表示手段に、前記記憶手段に記憶された情報を表示する制御手段とを備え、
前記制御手段は、前記タッチパネルに対して操作がなされたことを検出した場合に、前記表示手段における、前記記憶手段中の情報の表示対象とするグループを切り替える、携帯情報端末。
【請求項２】
前記記憶手段は、前記グループを特定する情報をさらに記憶し、
前記制御手段は、第１のグループの情報から第２のグループの情報へと表示対象を切り替える場合に、前記表示手段に、前記第１のグループの情報の表示と前記第２のグループの情報の表示の間に前記第２のグループを特定する情報を表示させる、請求項１に記載の携帯情報端末。
【請求項３】
前記制御手段は、第１のグループの情報から第２のグループの情報へと表示対象を切り替える場合に、前記表示手段に、前記第２のグループを特定する情報を一定時間表示させた後、前記第２のグループの情報を表示させる、請求項２に記載の携帯情報端末。
【請求項４】
前記制御手段は、前記表示手段に前記第２のグループを特定する情報を表示させている期間中に前記タッチパネルに対して操作がなされたときには、前記第１のグループまたは第３のグループへと表示対象とするグループを切り替える、請求項２に記載の携帯情報端末。
【請求項５】
前記制御手段は、前記タッチパネルに対して所定の操作がなされたことを検出した場合に、前記表示手段における、前記記憶手段中の情報の表示対象とするグループを切り替え、
前記所定の操作は、前記タッチパネルに対して操作対象となる位置を第１の方向に移動させる操作であり、
前記制御手段は、前記タッチパネルに対して操作対象となる位置を前記第２の方向と交わる第２の方向に移動させる操作がなされた場合には、前記表示手段において表示対象とされているグループ内で、表示対象となる情報を入れ替える、請求項１〜請求項４のいずれかに記載の携帯情報端末。
【請求項６】
表示手段と、前記表示手段の前面に設けられたタッチパネルと、複数の情報をグループ化して記憶する記憶手段とを備える携帯情報端末の制御方法であって、
前記表示手段に、前記記憶手段に記憶された情報を表示するステップと、
前記タッチパネルに対して所定の操作がなされたことを検出した場合に、前記表示手段における、前記記憶手段中の情報の表示対象とするグループを切り替えるステップとを備える、携帯情報端末の制御方法。
【発明の詳細な説明】
【技術分野】
【０００１】
本発明は、携帯情報端末に関し、特に、タッチパネルに対して行なわれた操作に基づいて制御動作を実行する携帯情報端末およびその制御方法に関する。
【背景技術】
【０００２】
近年、携帯情報端末に関し、種々の技術開発が行なわれている。中でも、当初はハードウェアとして装備されていたキー操作のためのボタンが、携帯情報端末にタッチパネルが装備されることにより、ソフトウェアキーへと移行されている。これにより、キー自体を、その操作によって実現される機能の内容等とともに表示することが可能となり、携帯情報端末の利便性を向上させている。
【０００３】
このような携帯情報端末において、さらに、タッチパネルに対する操作位置を或る程度の時間継続して検出することにより、タッチパネル上での操作の方向を検出し、これにより、当該操作の方向に応じた制御動作を実行する技術が種々開示されている。
【０００４】
たとえば、特許文献１（特開２０００−２７８３９１号公報）には、タッチパネルに対して文字を描く操作がなされた場合に、操作位置の軌跡を検出し、それに対して文字等の認識を行なう技術が開示されている。
【０００５】
また、特許文献２（特開昭６３−３６４２６号公報）には、表示部に表示させる文書の中のページを、ユーザがタッチパネル上で行なった操作位置が変化する方向に応じて、１ページ先にまたは１ページ前に送る技術が開示されている。
【特許文献１】特開２０００−２７８３９１号公報
【特許文献２】特開昭６３−３６４２６号公報
【発明の開示】
【発明が解決しようとする課題】
【０００６】
携帯情報端末における利便性の向上は、常に望まれることである。つまり、ユーザによるタッチパネルの操作に基づいて携帯情報端末における制御内容を、さらに充実させることが常に望まれている。
【０００７】
本発明は係る実情に鑑み考え出されたものであり、その目的は、携帯情報端末において、タッチパネルへの操作に基づいて、より利便性の高い制御内容を提供することである。
【課題を解決するための手段】
【０００８】
本発明に従った携帯情報端末は、情報を表示する表示手段と、前記表示手段の前面に設けられたタッチパネルと、複数の情報をグループ化して記憶する記憶手段と、前記表示手段に、前記記憶手段に記憶された情報を表示する制御手段とを備え、前記制御手段は、前記タッチパネルに対して操作がなされたことを検出した場合に、前記表示手段における、前記記憶手段中の情報の表示対象とするグループを切り替える。
【０００９】
また、本発明に従った携帯情報端末では、前記記憶手段は、前記グループを特定する情報をさらに記憶し、前記制御手段は、第１のグループの情報から第２のグループの情報へと表示対象を切り替える場合に、前記表示手段に、前記第１のグループの情報の表示と前記第２のグループの情報の表示の間に前記第２のグループを特定する情報を表示させる。
【００１０】
また、本発明に従った携帯情報端末では、前記制御手段は、第１のグループの情報から第２のグループの情報へと表示対象を切り替える場合に、前記表示手段に、前記第２のグループを特定する情報を一定時間表示させた後、前記第２のグループの情報を表示させる。
【００１１】
また、本発明に従った携帯情報端末では、前記制御手段は、前記表示手段に前記第２のグループを特定する情報を表示させている期間中に前記タッチパネルに対して操作がなされたときには、前記第１のグループまたは第３のグループへと表示対象とするグループを切り替える。
【００１２】
また、本発明に従った携帯情報端末では、前記制御手段は、前記タッチパネルに対して所定の操作がなされたことを検出した場合に、前記表示手段における、前記記憶手段中の情報の表示対象とするグループを切り替え、前記所定の操作は、前記タッチパネルに対して操作対象となる位置を第１の方向に移動させる操作であり、前記制御手段は、前記タッチパネルに対して操作対象となる位置を前記第２の方向と交わる第２の方向に移動させる操作がなされた場合には、前記表示手段において表示対象とされているグループ内で、表示対象となる情報を入れ替える。
【００１３】
本発明に従った携帯情報端末の制御方法は、表示手段と、前記表示手段の前面に設けられたタッチパネルと、複数の情報をグループ化して記憶する記憶手段とを備える携帯情報端末の制御方法であって、前記表示手段に、前記記憶手段に記憶された情報を表示するステップと、前記タッチパネルに対して所定の操作がなされたことを検出した場合に、前記表示手段における、前記記憶手段中の情報の表示対象とするグループを切り替えるステップとを備える。
【発明の効果】
【００１４】
本発明によれば、携帯情報端末では、タッチパネルに対して操作がなされた場合に、表示手段における、記憶手段中の情報の表示対象とするグループが切り替えられる。
【００１５】
これにより、タッチパネルに対する操作により、単に表示手段に表示されているファイル中の表示される部分が切替えられるのではなく、表示対象となるグループが切替えられる。
【００１６】
したがって、ユーザは、容易な操作により、表示手段に表示する情報について、表示対象となるグループを切替えるという効果を得ることができる。
【００１７】
特に、記録媒体の小型化が進み、携帯情報端末に固定して（または着脱可能に）設けられた記録媒体の容量が大きくなり、これにより、当該記録媒体に多くの数のファイル情報がグループ分けされて記録されているような場合にでも、ユーザは、容易な操作により、表示手段において表示対象となるグループを切替えるという効果を得ることができる。
【発明を実施するための最良の形態】
【００１８】
以下、本発明の携帯情報端末の一実施の形態である携帯電話機について、図面を参照しつつ説明する。なお、本発明の携帯情報端末は、携帯電話機に限定されない。つまり、本発明の携帯情報端末は、タッチパネルを備える端末であれば、たとえば通信機能等の携帯電話機に特有の機能を備えることは必要とされない。
【００１９】
［１．携帯情報端末の構成］
図１は、本発明の携帯情報端末の一実施の形態である携帯電話機の正面図である。
【００２０】
まず、図１（Ａ）を参照して、携帯電話機１００は、液晶ディスプレイ等からなる表示部３０が設けられている。表示部３０には、ウェブページ等のネットワーク上の文書や、携帯電話機１００内に格納されているアドレス帳やメーラー（電子メールの作成や送受信、受信したメールの保存・管理を行なうソフトウェア）によるメール作成画面等の種々の情報を表示することができる。
【００２１】
携帯電話機１００では、表示部３０の前面に、タッチパネル４０が設けられている。携帯電話機１００は、図１（Ａ）に示すように、横長の状態で利用でき、また、図１（Ｂ）に示されるように、縦長の状態で使用することもできる。
【００２２】
図２は、携帯電話機１００のハードウェア構成を模式的に示す図である。
図２を参照して、携帯電話機１００は、当該携帯電話機１００の動作を全体的に制御する制御部５０、データの送受信を行なうためのアンテナ８１、アンテナ８１によるデータの送受信の際の信号の処理等を行なう通信制御部８０、携帯電話機の姿勢を検出する姿勢検出部９０、フラッシュメモリ等からなる記憶部６０、タッチパネル４０、表示部３０、表示部３０における表示内容を制御する表示制御部５１、主に通話機能に利用されるレシーバ５６およびマイク５８、アラーム音等を出力するスピーカ５７、レシーバ５６やスピーカ５７から出力させる音声を制御する音声出力制御部５３，５４、マイク５８に入力された音声を処理する音声入力制御部５５、ならびに、カメラ９１を含む。制御部５０は、ＣＰＵ（Central Processing Unit）を含む。また、制御部５０には、タイマ５０Ａが内蔵されている。表示部５０は、表示制御部５１を介して表示部３０の表示内容を制御する。
【００２３】
姿勢検出部９０は、携帯電話機１００の向きや移動方向や当該携帯電話機１００に対して与えられた加速度を検出するためのものであり、たとえば、複数のジャイロスコープや加速度センサや地磁気センサを含む。携帯電話機１００の向きとは、たとえば、図１（Ａ）に示されるような横長状態でユーザに把持されているか、図１（Ｂ）に示されるような縦長状態でユーザに把持されているか等を意味する。姿勢検出部９０を用いて携帯電話機１００の本体の向きや移動方向や移動速度を検出する技術については、周知の技術を採用することができるため、ここでは説明を繰返さない。
【００２４】
記憶部６０には、制御部５０のＣＰＵが携帯電話機１００における基本的な機能（時計動作や表示部３０における壁紙の表示等）を実現するためのプログラムを記憶する基本プログラム記憶部６１と、当該基本的な機能に関する種々の設定値等のデータを記憶するデータ記憶部６２と、携帯電話機１００が実行可能なアプリケーションに関するプログラム等のデータを記憶するアプリケーションデータ記憶部６３が含まれる。
【００２５】
なお、制御部５０のＣＰＵが実行するプログラムは、予め記憶部６０に記憶されていても良いし、ネットワークを通じてダウンロードされることにより後発的にインストールされることもできる。また、制御部５０のＣＰＵが実行するプログラムは、携帯電話機１００に内蔵されている記憶装置（記憶部６０）に記憶される代わりに、携帯電話機１００に対して着脱可能な記録媒体に記録されていてもよい。また、そのようなプログラムが当該記録媒体から直接携帯電話機１００にインストールされても良い。
【００２６】
［２．アプリケーションデータ記憶部の記憶内容］
図３は、アプリケーションデータ記憶部６３の記憶内容を模式的に示す図である。
【００２７】
携帯電話機１００は、電話番号やメールアドレスなどの個人情報を管理する「アドレス帳」、たとえば１日ごとのスケジュール情報を管理する「カレンダー」、および、表示部３０に表示される文字の大きさやスピーカ５７において出力される音の大きさなどの携帯電話機１００における種々の設定を行なうための「メニュー設定」などの種々のアプリケーションがインストールされている。そして、アプリケーションデータ記憶部６３には、それぞれのアプリケーションを実行するためのデータが記憶されている。
【００２８】
アドレス帳情報記憶部６３１０は、「アドレス帳」のアプリケーションを実行するためのデータが記憶されている。アドレス帳情報記憶部６３１０は、当該アプリケーションを実行するためのプログラムデータを記憶するプログラムデータ記憶部６３１１と、当該プログラムの実行において利用される各種の設定値を記憶する設定値記憶部６３１２と、アドレス帳に登録された個人情報を記憶するアドレス帳データ記憶部６３１３とを含む。
【００２９】
カレンダー情報記憶部６３２０は、「カレンダー」のアプリケーションを実行するためのプログラムデータを記憶するプログラムデータ記憶部６３２１と、当該プログラムを実行するために使用される設定値を記憶する設定値記憶部６３２２と、登録されたスケジュールのデータを記憶するカレンダーデータ記憶部６３２３とを含む。
【００３０】
メニュー設定情報記憶部６３３０は、「メニュー設定」のアプリケーションを実行するためのプログラムデータを記憶するプログラムデータ記憶部６３３１と、当該プログラムを実行するために使用される設定値を記憶する設定値記憶部６３３２と、登録された各メニューに対する設定内容を記憶するメニューデータ記憶部６３３３とを含む。
【００３１】
図４は、アドレス帳データ記憶部６３１３の記憶態様を模式的に示す図である。
図４を参照して、アドレス帳データ記憶部６３１３では、各個人情報が、各個人情報のタイトル（たとえば、氏名や店舗名）の読みの最初の文字に基づいてグループ分けされて、記憶されている。
【００３２】
具体的には、タイトルがあ行（あ，い，う，え，お）で始まる個人情報と、タイトルがか行（か，き，く，け，こ）で始まる個人情報と、タイトルがさ行（さ，し，す，せ，そ）で始まる個人情報と、タイトルがた行（た，ち，つ，て，と）で始まる個人情報と、タイトルがな行（な，に，ぬ，ね，の）で始まる個人情報と、タイトルがは行（は，ひ，ふ，へ，ほ）で始まる個人情報と、タイトルがま行（ま，み，む，め，も）で始まる個人情報と、タイトルがや行（や，ゆ，よ）で始まる個人情報と、タイトルがら行（ら，り，る，れ，ろ）で始まる個人情報と、タイトルがわ行（わ，を，ん）で始まる個人情報と、タイトルが上記以外の文字（たとえば、ローマ字または数字）で始まる個人情報とが、それぞれグループ分けされて、同じ階層のデータとして、アドレス帳データ記憶部６３１３に記憶されている。
【００３３】
なお、グループ分けをして記憶する態様としては、各個人情報（個人のアドレスデータ）にグループごとに共通したタグを付する、グループごとに設定された記憶領域に記憶する、などの周知の技術を適用することができる。
【００３４】
図５は、アドレス帳データ記憶部６３１３に記憶されるデータの内容の一例を模式的に示す図である。
【００３５】
図５を参照して、アドレス帳データ記憶部６３１３では、各個人情報は、タイトルと、各個人の電話番号やメールアドレス等のアドレスデータとを含む。各個人情報は、タイトルの読み仮名の初めの文字が属する行ごとにグループ分けされて記憶されている。アドレスデータは、各個人の電話番号やメールアドレスなどの情報に対応する。なお、図５では、説明を容易にするために、各個人情報の登録データの欄は空白とされているが、実際の携帯電話機１００では、各欄には対応するデータが記憶されているものとする。
【００３６】
図６は、カレンダーデータ記憶部６３２３におけるデータの記憶態様の一例を模式的に示す図である。
【００３７】
図６を参照して、カレンダーデータ記憶部６３２３では、携帯電話機１００に登録されたスケジュールデータが、１日ごとにグループ分けされて、同じ階層のデータとして、記憶されている。
【００３８】
なお、各日のスケジュールデータには、その日全体に対応するスケジュールやその日の中の特定の時刻に対応するスケジュールやその日の中の一定の時間帯に対応するスケジュールを特定するデータが含まれる。
【００３９】
図７は、メニューデータ記憶部６３３３におけるデータの記憶態様の一例を模式的に示す図である。
【００４０】
図７を参照して、メニューデータ記憶部６３３３では、携帯電話機１００の基本的な動作の設定内容である「本体」、携帯電話機１００を他の機器と接続させるための機能についての設定内容である「外部接続」、携帯電話機１００の通話機能に関する設定内容である「通話／ＴＶコール」、および、携帯電話機１００に装備されているネットワークインターフェイスについての設定内容である「ネットワーク」の４つのグループに分けられて、種々の設定内容が記憶されている。「本体」「外部接続」「通話／ＴＶコール」「ネットワーク」の各グループに含まれる設定内容は、同じ階層で記憶されている。
【００４１】
そして、各グループには、単数または複数の設定内容が含まれる。設定内容の項目としては、たとえば、「本体」のグループは、「マナーモード設定の内容」「ディスプレイ設定の内容」「着せ替えアレンジの内容」「音・バイブ・ライトの内容」（スピーカ５７から出力される音量の設定内容、携帯電話機１００のバイブレーション機能のＯＮ／ＯＦＦの設定内容、および、カメラ９１の撮影用などとして携帯電話機１００に装備されたライト（図２では図示略）の点灯のＯＮ／ＯＦＦの設定内容などを含む）、「日時設定の内容」、「キーバックライト設定の内容」、「Language（表示部３０における表示言語）の内容」、「ユーザ辞書の内容」、「キーショートカット設定の内容」を含む。
【００４２】
［３．データ表示処理の内容］
図８は、携帯電話機１００において各種のアプリケーションが実行されているときに、タッチパネル４０に対する操作に応じて表示部３０に表示させる内容を制御するための処理である、データ表示処理のフローチャートである。
【００４３】
図８を参照して、データ表示処理では、制御部５０は、まずステップＳ１０で、タッチパネル４０に対して所定の方向でのフリック操作がなされたか否かを判断し、そのような操作がなされたと判断するとステップＳ２０へ処理を進める。
【００４４】
ここで、フリック操作とは、タッチパネル４０上で指またはタブレットペンなどを使用してタッチパネル４０上を素早く移動させる操作をいう。そして、所定の方向とは、たとえば図９（Ａ）に示されるように、携帯電話機１００が縦長の状態で使用されているときに、両矢印Ｒ１で示される方向を横方向とし、両矢印Ｒ２で示される方向を縦方向とした場合の、横方向（または、左から右に向かう方向）とすることができる。また、図９（Ｂ）に示されるように、携帯電話機１００が横長の状態で使用されているときに、両矢印Ｒ３で示される方向を横方向とし、両矢印Ｒ４で示される方向を縦方向とした場合の、横方向（または、左から右に向かう方向）とすることができる。
【００４５】
制御部５０は、タッチパネル４０上の操作位置を継続的に検出することにより、時間変化に伴う操作位置の変化を検出し、これにより、フリック操作がなされたか否か、および、フリック操作がなされた方向を検出する。
【００４６】
ステップＳ２０では、制御部５０は、現在表示部３０に表示させているグループと同じ階層でデータを記憶されているグループであって、予め定められた順序においてその次のグループのシンボル（各グループを特定する情報）を表示するための制御動作を開始して、ステップＳ３０へ処理を進める。
【００４７】
ステップＳ３０では、制御部５０は、ステップＳ２０で開始したシンボルを表示させるための制御内容が完了したか否かを判断し、まだ完了していないと判断するとステップＳ６０へ処理を進める。
【００４８】
ステップＳ６０では、制御部５０は、ステップＳ１０と同様に、タッチパネル４０に対して所定の方向のフリック操作がなされたか否かを判断し、なされたと判断するとステップＳ２０へ処理を戻し、なされていないと判断するとステップＳ７０へ処理を進める。
【００４９】
ステップＳ７０では、制御部５０は、タッチパネル４０に対して戻し方向のドラッグ操作がなされたか否かを判断し、なされたと判断するとステップＳ８０へ処理を進め、なされていないと判断するとステップＳ３０へ処理を戻す。
【００５０】
ここで、戻し方向のドラッグ操作とは、ステップＳ２０において開始された次のグループのシンボルを表示させるための制御が、表示部３０における表示内容を当該シンボルの表示画面へと変更するために、画面をスクロール表示させる制御である場合、スクロール方向と逆の方向へのドラッグ操作を言う。
【００５１】
ここで、タッチ操作とは、タッチパネル４０の同じ位置において所定の時間以上継続して指またはタブレットペンなどが触れた状態が継続される操作をいう。制御部５０は、タッチパネル４０に対して、所定の時間以上継続して同じ位置（または、操作位置の変化があった場合、操作位置が変更された距離が所定の閾値以内）であるか否かにより、タッチ操作がなされたか否かを判断する。
【００５２】
ステップＳ８０では、今まで表示していたグループの内容に、表示部３０における表示内容を戻すための制御がなされて、ステップＳ１０へ処理が戻される。ステップＳ８０の処理により、表示部３０においてあるグループについての情報が表示されていたところ、ステップＳ２０で次のグループのシンボルを表示させるための制御が開始されていたところ、再度ステップＳ１０でフリック操作がなされたと判断される前に表示されていたグループの内容に表示部３０の表示内容が戻されることになる。
【００５３】
一方、ステップＳ３０でシンボルを表示させるための制御内容が完了したと判断すると、制御部５０はステップＳ４０へ処理を進める。
【００５４】
ステップＳ４０では、制御部５０は、次のグループに含まれる情報を表示部３０に表示させるための制御内容を開始して、ステップＳ５０へ処理を進める。
【００５５】
ステップＳ５０では、制御部５０は、ステップＳ４０で開始した次のグループの情報を表示させるための制御内容が完了するまで待機し、完了したと判断するとステップＳ１０へ処理を戻す。
【００５６】
以上説明したデータ表示処理では、携帯電話機１００の表示部３０において、あるアプリケーションについてあるグループに含まれる情報が表示されているときに、タッチパネル４０に対して所定の方向にフリック操作がなされると、当該あるグループの次のグループに含まれる情報が表示される（ステップＳ１０，ステップＳ４０，ステップＳ５０）。つまり、携帯電話機１００では、表示部３０において表示対象とされる情報のグループが、タッチパネル４０に対して所定の方向にフリック操作がなされることにより、表示対象とされるグループが切替えられることになる。
【００５７】
また、以上説明したデータ表示処理では、表示部３０における表示対象となるデータのグループが切替えられる際に、今の表示対象のグループの情報の表示と次のグループの情報の表示の間に、切替後の表示対象である次のグループを特定する情報（シンボル）が表示される（ステップＳ２０）。
【００５８】
また、以上説明したデータ表示処理では、「次のグループ」のシンボルは、ステップＳ２０で当該シンボルを表示させるための制御が開始されてからステップＳ３０で当該シンボルを表示させるための制御内容が完了したと判断されるまで、少なくとも表示される。
【００５９】
当該シンボルを表示させるための制御内容が開始されてから完了するまでに、タッチパネル４０に対して戻し方向のドラッグ操作がなされると、表示部３０における表示対象とされるグループは、次のグループに切替えられることなく、それまで表示対象とされていたグループ（今のグループ）に戻される（ステップＳ３０，ステップＳ７０〜ステップＳ８０）。また、当該シンボルを表示させるための制御内容が開始されてから完了するまでに、タッチパネル４０に対して上記した所定の方向のフリック操作がなされると（ステップＳ６０）、当該シンボルに対応した「次のグループ」の個人情報を表示することなく、さらに次のグループのシンボルを表示させるための制御が開始される（ステップＳ６０，ステップＳ２０）。つまり、本実施の形態では、第２のグループを特定する情報（「か」のシンボル）を表示させている期間中にタッチパネルに対して操作がなされたときには、第１のグループ（「あ」行）または第３のグループ（「さ」行）へと表示対象とするグループが切り替えられることになる。
【００６０】
［４．「アドレス帳」実行中の表示対象グループの切替え］
図１０は、「アドレス帳」のアプリケーションの実行中に、あるグループの個人情報が表示されているときにフリック操作がなされることによって表示内容が次のグループの個人情報に切替わる際の、表示内容の移り変わりの一例が示されている。
【００６１】
図１０（Ａ）には、表示部３０に表示される画面の一例が示されている。
図１０（Ａ）を参照して、画面３００には、タブを有する複数のカードが重ねられた状態が、模式的に示されている。具体的には、画面３００には、タブ３０１Ａを有するカード３０１が最も前に表示され、その後方に、タブ３０２Ａ，３０３Ａ，３０４Ａ，３０５Ａをそれぞれ有する複数のカードが位置しているイメージが表示されている。
【００６２】
タブ３０１Ａ，３０２Ａ，３０３Ａ，３０４Ａ，３０５Ａのそれぞれには、アドレス帳データ記憶部６３１３において個人情報がグループ分けされている各グループを特定する情報である「あ」「か」「さ」「た」「な」がそれぞれ表示されている。なお、アドレス帳データ記憶部６３１３において個人情報が記憶されているグループを特定する情報は、他にも「は」「ま」「や」「ら」「わ」「その他」があるが、画面３００では、そのスペースの関係上、「あ」〜「な」が表示されている。
【００６３】
あ行に対応したカード３０１には、アドレス帳データ記憶部６３１３においてあ行のグループの個人情報のタイトルの一部が表示されている。
【００６４】
表示部３０に画面３００が表示されている状態で、タッチパネル４０に対して右から左（図１０（Ａ）中の矢印Ｒ１０方向）にフリック操作がなされると、カード３０１内の表示が矢印Ｒ１０方向にスクロールし始める。
【００６５】
図１０（Ｂ）〜図１０（Ｄ）は、カード３０１における表示が、各図中の矢印方向にスクロールされて、あ行のグループの個人情報のタイトルから次のグループである「か行」を特定する情報である「か」が表示されるまでの経過を示す図である。
【００６６】
図１０（Ｂ）の画面３１０、図１０（Ｃ）の画面３２０、図１０（Ｄ）の画面３３０の順に、表示部３０では、徐々に、カード３０１内の表示が切替わっている。
【００６７】
図１０（Ａ）〜図１０（Ｄ）の表示の流れが、図８のステップＳ１０において所定の方向のフリック操作が検出されてから、ステップＳ２０において次のグループのシンボルの表示のための制御内容が開始され、そして、ステップＳ３０においてシンボルの表示のための制御内容が完了した状態に対応している。
【００６８】
そして、カード３０１に次のグループのシンボルである「か」の表示が完了するまでの間に、タッチパネル４０に対してタッチ操作もなされなければ（ステップＳ６０とステップＳ７０でともにＮＯ）、カード３０１の表示内容はさらに左方向にスクロールされ、最終的に、図１０（Ｅ）に示されるように、表示部３０には画面３４０が表示されるようになる。
【００６９】
画面３４０には、画面３００における表示対象であった「あ行」の次のグループである「か行」の個人情報のタイトルを表示するカード３０２が、画面３００におけるカード３０１に入れ替わって、最も前に来た状態が示されている。
【００７０】
次に、ステップＳ２０において次のグループのシンボルの表示のための制御内容が開始された後、当該制御内容が完了する前にタッチパネル４０に対してフリック操作がなされた場合の表示内容の変化について説明する。
【００７１】
図１１（Ａ）〜図１１（Ｃ）は、図１０（Ａ）〜図１０（Ｃ）にそれぞれ示されていた画面３００，３１０，３２０をそれぞれ示している。
【００７２】
図１１（Ａ）に示される画面３００が表示部３０に表示されているときにタッチパネル４０に対して矢印Ｒ１０方向にフリック操作がなされると、図１１（Ｂ），図１１（Ｃ）に示されるように、表示部３０に表示される画面は、画面３００から画面３１０へ、そして、画面３１０から３２０へ、カード３０１内の表示が左方にスクロールするように変化する。そして、図１０（Ｄ）に示した画面３３０が表示されてシンボルである「か」がカード３０１の左右方向の中心に表示されることによって当該シンボルの表示のための制御内容が完了する前に、つまり、たとえば、図１１（Ｃ）の画面３２０が表示されているときに、さらに矢印Ｒ１１で示す左方へのフリック操作がなされると、カード３０１内の表示の左方へのスクロールが継続される。
【００７３】
なお、この場合、シンボル「か」の次には、か行のグループの個人情報のタイトルではなく、図１１（Ｄ）の画面３５０内のカード３０１内に示されるように、さらに次のグループのシンボルである「さ」の文字がスクロール表示されるようになる。
【００７４】
図１１（Ｃ）の画面３２０から図１１（Ｄ）の画面３５０への表示の遷移は、図８のステップＳ６０においてＹＥＳ判断時に処理がステップＳ２０へ戻されることに対応している。つまり、ステップＳ２０において次のグループのシンボルの表示のための制御内容が開始された後、当該制御内容が完了する前にフリック操作がなされた場合（ステップＳ３０でＮＯ，ステップＳ６０でＹＥＳ）、ステップＳ４０で当該次のグループの内容が表示される前に、ステップＳ２０で、さらに次のグループのシンボルを表示するための制御内容が開始される。
【００７５】
以上図１０および図１１を参照した説明では、タッチパネル４０に対する左方へのフリック操作に基づく表示内容についてのみ説明がなされていた。
【００７６】
ここで、タッチパネル４０に対して縦方向（たとえば、上方向）のフリック操作がなされた際の表示内容の変化について、図１２を参照して説明する。
【００７７】
図１２（Ａ）は、図１０（Ａ）に示された画面３００と同じ画面３００を示している。表示部３０において画面３００が表示されているときに、上方向（図１２（Ａ）中の矢印Ｒ１２の方向）にフリック操作がなされると、表示部３０には、図１２（Ｂ）に示された画面３６０が表示されるようになる。
【００７８】
画面３６０のカード３０１内には、画面３００のカード３０１内に表示されていた個人情報のタイトルが矢印Ｒ１２方向にスクロールされた後の状態が示されている。
【００７９】
画面３６０のカード３０１内には、画面３００のカード３０１内の上位３人分の個人情報のタイトルが消失し、画面３００のカード３０１の４人目以降の個人情報のタイトルが消去された３人分のタイトルの表示位置を埋めるように矢印Ｒ１２方向にスライドし、そして、画面３６０のカード３０１の下方３人分のスペースには、あ行のグループ内に個人情報を記憶された新たな個人情報のタイトルが表示されている。
【００８０】
つまり、携帯電話機１００では、タッチパネル４０に対して左右方向のフリック操作がなされると、タブ３０１Ａ，３０２Ａ，３０３Ａ，３０４Ａ，３０５Ａをそれぞれ有するカードの中で表示部３０で表示させるものを切替えるように、表示部３０の表示内容が制御される。なお、タブ３０１Ａ，３０２Ａ，３０３Ａ，３０４Ａ，３０５Ａのそれぞれに対応するカードは、それぞれのタグに記載されたシンボルに対応するグループの個人情報のタイトルを表示するものである。つまり、アドレス帳のアプリケーションが実行されているときに、タッチパネル４０に対して左右方向のフリック操作がなされることにより、個人情報のタイトルの表示対象となるグループが切替えられることになる。
【００８１】
そして、たとえば上下方向にフリック操作がなされることにより、表示部３０においてタイトルを表示されているグループ内において、表示対象となる個人情報のタイトルが切替えられることになる。
【００８２】
以上説明した表示制御では、制御部５０は、左右方向のフリック操作により表示対象となるグループを切替え、上下方向のフリック操作により表示対象とされているグループ内での表示対象となるデータを切り替えた。なお、上下方向のフリック操作により表示対象となるグループを切替え、左右方向のフリック操作により同グループ内の表示対象データを切替えても良い。また、以上の表示制御は、図９（Ａ）に示した縦長方向に把持されている状態において実現されても良いし、図９（Ｂ）に示した横長方向に把持されている状態において実現されても良い。
【００８３】
また、以上説明した表示制御において、画面３００等において表示された個人情報のタイトルに対応する領域のタッチパネル４０に対してタッチ操作等がなされることにより、当該タイトルに関連付けられて記憶された個人情報の内容が、表示部３０に表示される。
【００８４】
以上説明したように、「アドレス帳」のアプリケーション実行中に、フリック操作がなされると、アドレス帳データ記憶部６３１３に記憶されている情報の中の表示対象となる情報のグループが変更される。表示対象は、フリック操作がなされた方向に、スクロール表示がなされることにより、切り替えられる。
【００８５】
なお、表示対象となる情報のグループが変更される場合、表示部３０における表示内容が変更前のグループ（「あ」行）から変更後のグループ（「か」行）に移る前に、変更後のグループを特定する情報（「か」）が表示される。
【００８６】
［５．「カレンダー」実行中の表示対象グループの切替え］
図１３は、「カレンダー」のアプリケーションが実行されているときの表示部３０の表示内容の一例を示す図である。
【００８７】
図１３を参照して、画面４００は、２００８年４月２３日水曜日のスケジュールとして登録された情報の少なくとも一部を示している。画面４００において、日付表示欄４０１には、表示部３０において表示対象となっている日付が表示され、そして、表示欄４０２には、表示欄４０１に表示された日付のグループ内に登録されたスケジュール情報が表示されている。
【００８８】
一般的に、未来の情報は右方に位置し、過去の情報は左方に位置するものとイメージされる。したがって、図１３中に矢印Ｒ２２Ａで示した右方方向へのフリック操作は、左方に位置する情報をめくり出す操作、つまり、過去のスケジュールデータをめくり出す操作に対応する。
【００８９】
一方、図１３の矢印Ｒ２１Ａで示すような、右方から左方へのフリック操作は、未来のスケジュールデータをめくり出す操作と考えられる。したがって、画面４００が表示部３０に表示されている状態で、タッチパネル４０に対して左から右（矢印Ｒ２２Ａ）へのフリック操作が１回なされることにより、画面４００には、現在表示中の４月２３日の前日である４月２２日のグループ内に記憶されたスケジュールデータが表示されるようになり、また、右から左（矢印Ｒ２１Ａ）へのフリック操作がなされることにより、４月２３日の翌日である４月２４日のスケジュールデータが表示されるようになる。
【００９０】
以下、それぞれの場合における表示内容の変化を、図１４および図１５を参照して説明する。
【００９１】
図１４は、表示部３０に、現在の表示対象の前日のグループ内に記憶されたスケジュールデータを表示させるような表示内容の変化を説明するための図である。
【００９２】
図１４（Ａ）には、図１３に示された画面４００と同じ画面４００が示されている。
表示部３０に画面４００が示されているときに、矢印Ｒ２２Ａ方向にタッチパネル４０に対してフリック操作がなされると、表示部３０の表示内容は、図１４（Ｂ）〜図１４（Ｅ）に示されるように、画面４１０、画面４２０、画面４３０、画面４４０の順に変化する。
【００９３】
具体的には、画面４１０から画面４３０までは、表示欄４０１の表示内容は変化せず、表示欄４０２の表示内容が、フリック操作された方向である矢印Ｒ２２Ａの方向にスクロール表示されている。これにより、表示欄４０２では、４月２３日のグループ内に記憶されたスケジュールデータがスクロールされて徐々に消えていき、その代わりに、次にスケジュールデータを表示されるグループを特定する情報である４月２２日を示す情報（「０４／２２（火）」）を表示する画面の表示の割合が大きくなっている。
【００９４】
そして、図１４（Ｄ）の画面４３０では、表示欄４０２には、当該切替後のグループを特定する情報のみが表示されている。
【００９５】
そして、さらに表示欄４０２におけるスクロール表示が進み、図１４（Ｅ）に画面４４０として示すように、表示欄４０２には、４月２２日のグループ内のスケジュールデータのみが表示されるようになる。このとき、表示欄４０１に表示される日付は、２００８年４月２２日火曜日に変更されている。
【００９６】
図１５は、表示部３０に、現在の表示対象の次の日のグループ内に記憶されたスケジュールデータを表示させるような表示内容の変化を説明するための図である。
【００９７】
図１５（Ａ）には、図１３に示された画面４００と同じ画面４００が示されている。
表示部３０に画面４００が示されているときに、矢印Ｒ２１Ａ方向にタッチパネル４０に対してフリック操作がなされると、表示部３０の表示内容は、図１５（Ｂ）〜図１５（Ｅ）に示されるように、画面４５０、画面４６０、画面４７０、画面４８０の順に変化する。
【００９８】
具体的には、画面４５０から画面４８０までは、表示欄４０１の表示内容は変化せず、表示欄４０２の表示内容が、フリック操作された方向である矢印Ｒ２１Ａの方向にスクロール表示されている。これにより、表示欄４０２では、４月２３日のグループ内に記憶されたスケジュールデータがスクロールされて徐々に消えていき、その代わりに、次にスケジュールデータを表示されるグループを特定する情報である４月２４日を示す情報（「０４／２４（木）」）を表示する画面の表示の割合が大きくなっている。
【００９９】
そして、図１５（Ｄ）の画面４７０では、表示欄４０２には、当該切替後のグループを特定する情報のみが表示されている。
【０１００】
そして、さらに表示欄４０２におけるスクロール表示が進み、図１５（Ｅ）に画面４８０として示すように、表示欄４０２には、４月２４日のグループ内のスケジュールデータのみが表示されるようになる。このとき、表示欄４０１に表示される日付は、２００８年４月２４日木曜日に変更されている。
【０１０１】
［６．「メニュー設定」実行中の表示対象グループの切替え］
図１６は、「メニュー設定」のアプリケーションが実行されているときの表示部３０の表示内容の一例を示す図である。
【０１０２】
図１６（Ａ）には、「本体」の設定項目内容（タイトル）を表示する画面５００が示されている。
【０１０３】
画面５００には、タブを有する複数のカードが重ねられた状態が、模式的に示されている。具体的には、画面５００には、タブ５０１Ａを有するカード５０１が最も前に表示され、その後方に、タブ５０２Ａ，５０３Ａ，５０４Ａをそれぞれ有する複数のカードが位置しているイメージが表示されている。
【０１０４】
タブ５０１Ａ，５０２Ａ，５０３Ａ，５０４Ａのそれぞれには、メニューデータ記憶部６３３３において設定内容がグループ分けされている各グループのタイトルである「本体」「外部接続」「通話／ＴＶコール」「ネットワーク」を特定する情報がそれぞれ表示されている。
【０１０５】
表示部３０に画面５００が示されているときに、矢印Ｒ２４方向にタッチパネル４０に対してフリック操作がなされると、表示部３０の表示内容は、矢印Ｒ２４方向にスクロール表示されながら、図１４（Ｂ）に示された画面５１０を経て、図１４（Ｃ）に示される画面５２０へと変化する。
【０１０６】
画面５２０は、「外部接続」の設定項目内容（タイトル）を表示する画面である。
以上図１６を参照して説明したように、「メニュー設定」のアプリケーション実行中に、フリック操作がなされると、メニューデータ記憶部６３３３に記憶されている情報の中の表示対象となる情報のグループが変更される。
【０１０７】
なお、このアプリケーションについては、表示対象となる情報のグループが変更される場合、表示部３０における表示内容が変更前のグループから変更後のグループに移る前に、変更後のグループを特定する情報（図１６（Ａ）〜図１６（Ｃ）に示した例では、「外部接続」）の表示は行なわれない。
【０１０８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０９】
【図１】本発明の携帯端末の一実施の形態では、携帯電話機の正面図である。
【図２】図１の携帯電話機のハードウェア構成を模式的に示す図である。
【図３】図２のアプリケーションデータ記憶部の記憶内容を模式的に示す図である。
【図４】図３のアドレス帳データ記憶部におけるデータの記憶態様の一例を模式的に示す図である。
【図５】図３のアドレス帳データ記憶部に記憶されるデータの内容の一例を模式的に示す図である。
【図６】図３のカレンダーデータ記憶部におけるデータの記憶態様の一例を模式的に示す図である。
【図７】図３のメニューデータ記憶部におけるデータの記憶態様の一例を模式的に示す図である。
【図８】図１の制御部が実行するデータ表示処理のフローチャートである。
【図９】図８の処理におけるタッチパネルの操作方向を説明するための図である。
【図１０】「アドレス帳」アプリケーションが実行されているときの図１の表示部の表示内容の変化の一例を説明するための図である。
【図１１】「アドレス帳」アプリケーションが実行されているときの図１の表示部の表示内容の変化の他の例を説明するための図である。
【図１２】「アドレス帳」アプリケーションが実行されているときの図１の表示部の表示内容の変化のさらに他の例を説明するための図である。
【図１３】「スケジュール」アプリケーションが実行されているときの図１の表示部の表示内容の変化の一例を説明するための図である。
【図１４】「スケジュール」アプリケーションが実行されているときの図１の表示部の表示内容の変化の他の例を説明するための図である。
【図１５】「スケジュール」アプリケーションが実行されているときの図１の表示部の表示内容の変化のさらに他の例を説明するための図である。
【図１６】「メニュー設定」アプリケーションが実行されているときの図１の表示部の表示内容の変化の一例を説明するための図である。
【符号の説明】
【０１１０】
３０  表示部、４０  タッチパネル、５０  制御部、５０Ａ  タイマ、５１  表示制御部、５３，５４  音声出力制御部、５５  音声入力制御部、５６  レシーバ、５７  スピーカ、５８  マイク、６０  記憶部、６１  基本プログラム記憶部、６２  データ記憶部、６３  アプリケーションデータ記憶部、８０  通信制御部、８１  アンテナ、９０  姿勢検出部、９１  カメラ、１００  携帯電話機、３００，３１０，３２０，３３０，３４０，３５０  画面、３０１  カード、３０１Ａ，３０２Ａ，３０３Ａ，３０４Ａ，３０５Ａ，５０１Ａ，５０２Ａ，５０３Ａ，５０４Ａ  タブ、３６０，４００，５００，５１０，５２０  画面、４０１，４０２  表示欄、６３１０  アドレス帳情報記憶部、６３１１，６３２１，６３３１  プログラムデータ記憶部、６３１２，６３２２，６３３２  設定値記憶部、６３１３  アドレス帳データ記憶部、６３２０  カレンダー情報記憶部、６３２３  カレンダーデータ記憶部、６３３０  メニュー設定情報記憶部、６３３３  メニューデータ記憶部。
【図１】
2010103919.tif 000003
【図２】
2010103919.tif 000004
【図３】
2010103919.tif 000005
【図４】
2010103919.tif 000006
【図５】
2010103919.tif 000007
【図６】
2010103919.tif 000008
【図７】
2010103919.tif 000009
【図８】
2010103919.tif 000010
【図９】
2010103919.tif 000011
【図１０】
2010103919.tif 000012
【図１１】
2010103919.tif 000013
【図１２】
2010103919.tif 000014
【図１３】
2010103919.tif 000015
【図１４】
2010103919.tif 000016
【図１５】
2010103919.tif 000017
【図１６】
2010103919.tif 000018